(57)【要約】      （修正有）【課題】簡単に展開や折畳んで保管できる、携帯式折畳み机を提供する。【解決手段】並列に枢着される第一机板１１と第二机板１２と、それぞれ、上記第一机板と第二机板の下部に枢着される第一机脚１３と第二机脚１４と、上記第一机板と上記第一机脚との間に設置され定位装置を有する第一支持棒と、上記第二机板と上記第二机脚との間に設置され定位装置を有する第一支持棒と、があり、上記第一机脚および第二机脚は、机板に枢着される箇所を軸として枢着され、これにより、折畳まれることや直立して展開することができる。また、上記各定位装置は、上記第一机脚と第二机脚とが展開された後、固定することができ、上記第一机脚と上記第二机脚とが折畳まれた後、上記第一机板と上記第二机板とは、互いに重ね合って、筐体の状態になる。【選択図】図１
0003161362.tif 000002
【実用新案登録請求の範囲】
【請求項１】
後端部と前端部及び上記後端部と上記前端部との間に伸びる第一側辺と第二側辺とがあり、上記前、後端部に、それぞれ、第一枢着部材がある第一机板と、
後端部と前端部及び上記後端部と上記前端部との間に伸びる第一側辺と第二側辺があり、上記前、後端部に、上記各第一枢着部材に対応して、第二枢着部材が設けられ、上記各第一枢着部材と上記各第二枢着部材が、それぞれ、ピン棒によって連接される第二机板と、
間隔的に下部に枢着される二つの上直立棒があり、上記二つの上直立棒同士の間に、横棒が設置され、また、定位装置を有する第一支持棒があり、上記第一支持棒の両側が、それぞれ、上記第一机板と上記横棒に結合され、それにより、上記第一机脚と第一机板との展開状態の角度が制限される第一机脚と、
間隔的に下部に枢着される二つの上直立棒があり、上記二つの上直立棒同士の間に、横棒が設置され、また、定位装置を有する第一支持棒があり、上記第一支持棒の両側が、それぞれ、上記第二机板と上記横棒に結合され、それにより、上記第二机脚と第二机板との展開状態の角度が制限される第二机脚と、
が含有され、
上記第一机脚と上記第二机脚とが折畳まれると、上記第一机板と上記第二机板とが、重ね合って、筐体が形成される、
ことを特徴とする携帯式折畳み机。
【請求項２】
上記第一机板と第二机板に、それぞれ、第一支持ブロックが形成され、上記第一支持棒に、第一枢着ジョイントと第二枢着ジョイントがあり、上記第一枢着ジョイントと第二枢着ジョイントの一側に、それぞれ、支棒が結合され、その一つの支棒が、上記第一支持ブロックに枢着され、もう一つの支棒が、上記横棒に設置された第二支持ブロックに枢着され、上記第一枢着ジョイントと上記第二枢着ジョイントとが、ピン棒により連接され、上記各支棒が、上記ピン棒を軸として枢着されることを特徴とする請求項１に記載の携帯式折畳み机。
【請求項３】
上記定位装置に、連接棒とバネ及びハンドルがあり、上記連接棒の内端が、上記第一枢着ジョイントに形成された貫通孔に貫設されることにより、分離可能に上記第二枢着ジョイントに形成された凹槽に挿入され、上記バネが、上記連接棒の内端に対して、上記凹槽方向へバイアスを印加し、上記ハンドルが、上記連接棒の外端に結合され、ユーザーが、上記連接棒を変位させるように操作でき、上記連接棒の内端が、上記凹槽から脱離する状態において、上記各支棒が枢着され、上記連接棒の内端が、上記凹槽に結合される状態において、上記各支棒が結合されて定位されることを特徴とする請求項２に記載の携帯式折畳み机。
【請求項４】
上記各上直立棒と各横棒との間において、それぞれ、接続ヘッドにより結合され、上記各接続ヘッドの下部に、それぞれ、下直立棒が枢着されることを特徴とする請求項２に記載の携帯式折畳み机。
【請求項５】
上記各下直立棒と上記隣り合う横棒との間に、第二支持棒が結合され、上記各第二支持棒に、それぞれ、第三枢着ジョイントと第四枢着ジョイントがあり、上記第三枢着ジョイントと第四枢着ジョイントの一側に、それぞれ、支棒が結合され、上記第三枢着ジョイントと上記第四枢着ジョイントとが、ピン棒により連接され、上記各支棒が、上記ピン棒を軸として枢着でき、また、上記第三枢着ジョイントと上記第四枢着ジョイントとの展開角度が、１８０度よりも大きく、そして、上記第三枢着ジョイントと上記第四枢着ジョイントにそれぞれ、凸部が形成され、上記両凸部同士が互いに抵当することにより、上記各下直立棒と各横棒との展開角度が制限されることを特徴とする請求項４に記載の携帯式折畳み机。
【請求項６】
上記第一机板の第一側辺において、間隔的に、第一結合部材と握り部が設置され、また、上記第二机板の第一側辺に、上記第一結合部材に結合される第二結合部材が設置されることを特徴とする請求項１に記載の携帯式折畳み机。
【考案の詳細な説明】
【技術分野】
【０００１】
本考案は、携帯式折畳み机に関し、特に、簡単に展開や折畳んで保管でき、携帯に便利である机体に関する。
【背景技術】
【０００２】
例えば、キャンピングやバーベキュー等の戸外活動を従事する場合、机がなければ、非常に不便であるため、便利に携帯できる机が、消費者から強く要請される。
【０００３】
一般の、戸外に適用できる机は、便利に携帯できるため、その各机脚が、机板の下方に枢着されることが多く、上記各机脚は、それぞれ、上記机板に枢着され、また、独自に、折畳んで保管されるか、展開して利用される。しかしながら、従来の机は、便利に携帯できる目的が達成されるが、上記各机脚は、支持や定位の構造がないため、机板の上部に、重い品物が載せられる場合、机脚が傾斜して、机の平衡が失って、載せられた品物が、地面に落とす恐れがある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、机脚と机板との間に、定位装置を有する支持棒を結合し、上記支持棒により、机脚と机板との角度が制限されて、従来の机脚が不安定の問題を解消できる携帯式折畳み机を提供する。
【課題を解決するための手段】
【０００６】
本考案は、上記の目的を達成するため、携帯式折畳み机を提供し、上記携帯式折畳み机は、後端部と前端部及び上記後端部と上記前端部との間に伸びる第一側辺と第二側辺とがあり、上記前、後端部に、それぞれ、第一枢着部材がある第一机板と、後端部と前端部及び上記後端部と上記前端部との間に伸びる第一側辺と第二側辺とがあり、上記前、後端部に、上記各第一枢着部材に対応して、第二枢着部材が設けられ、上記各第一枢着部材と上記各第二枢着部材が、それぞれ、ピン棒によって連接される第二机板と、間隔的に下部に枢着される二つの上直立棒があり、上記二つの上直立棒同士の間に、横棒が設置され、また、定位装置を有する第一支持棒があり、上記第一支持棒の両側が、それぞれ、上記第一机板と上記横棒に結合され、それにより、上記第一机脚と第一机板との展開状態の角度が制限される第一机脚と、間隔的に下部に枢着される二つの上直立棒があり、上記二つの上直立棒同士の間に、横棒が設置され、また、定位装置を有する第一支持棒があり、上記第一支持棒の両側が、それぞれ、上記第二机板と上記横棒に結合され、それにより、上記第二机脚と第二机板間との展開状態の角度が制限される第二机脚と、が含有され、上記第一机脚と上記第二机脚とが折畳まれると、上記第一机板と上記第二机板とが、重ね合って、筐体が形成される。
【０００７】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００８】
図１乃至図８を参照しながら、本考案に係る携帯式折畳み机１は、並列に枢着される第一机板１１と第二机板１２と、それぞれ、上記第一机板１１と第二机板１２の下部に枢着される第一机脚１３と第二机脚１４と、上記第一机板１１と上記第一机脚１３との間に設置される第一支持棒２と、上記第二机板１２と上記第二机脚１４との間に設置される第一支持棒２と、が含有される。
【０００９】
上記第一机板１１は、後端部１１１と前端部１１２及び上記後端部１１１と上記前端部１１２との間に伸びる第一側辺１１３と第二側辺１１４がり、上記前、後端部１１２、１１１に、それぞれ、第一枢着部材３１があり、上記第一側辺１１３は、握り部１１５が設けられ、上記握り部１１５の両側において、それぞれ、間隔的に、第一結合部材１１６が設けられ、本実施例において、上記第一結合部材１１６は、係合部材である。
【００１０】
上記第二机板１２は、後端部１１１と前端部１１２及び上記後端部１１１と上記前端部１１２との間に伸びる第一側辺１１３と第二側辺１１４があり、上記第一側辺１１３は、それぞれ、上記各第一結合部材１１６に対応して、第二結合部材１２１が設けられ、本実施例において、上記第二結合部材１２１は、軸体であり、また、上記前、後端部１１２、１１１において、それぞれ、上記第一枢着部材３１に対応して、第二枢着部材３２が設けられ、上記第一枢着部材３１と上記第二枢着部材３２は、ピン棒３３により連接され、これにより、上記第一机板１１と第二机板１２とは、上記ピン棒３３を軸として、枢着される。
【００１１】
上記第一机脚１３は、間隔的に上記第一机板１１の下部に枢着される二つの上直立棒１３１があり、上記二つの上直立棒１３１同士の間に、横棒１３２が設置され、また、定位装置４を有する第一支持棒２があり、上記第一支持棒２の両側が、それぞれ、上記第一机板１１と上記横棒１３２に結合され、これにより、上記第一机脚１３と第一机板１１との展開状態の角度が制限され、上記第二机脚１４は、間隔的に上記第二机板１２の下部に枢着される二つの上直立棒１３１があり、上記二つの上直立棒１３１同士の間に、横棒１３２が設置され、また、定位装置４を有する第一支持棒２があり、上記第一支持棒２の両側が、それぞれ、上記第二机板１２と上記横棒１３２に結合され、それにより、上記第二机脚１４と第二机板１２との展開状態の角度が制限される。また、上記各上直立棒１３１と隣り合う横棒１３２との間に、強化棒１３４が結合され、上記強化棒１３４により、上記各上直立棒１３１と隣り合う横棒１３２との構造強度が向上される。
【００１２】
また、上記第一机板１１と第二机板１２には、それぞれ、第一支持ブロック３５が設けられ、上記第一支持棒２は、第一枢着ジョイント２２と第二枢着ジョイント２３が含有され、上記第一枢着ジョイント２２と第二枢着ジョイント２３との一側に、それぞれ、支棒２４が結合され、その一つの支棒２４が、上記第一支持ブロック３５に枢着され、もう一つの支棒２４が、上記横棒１３２に設置される第二支持ブロック３６に枢着され、上記第一枢着ジョイント２２と上記第二枢着ジョイント２３とは、ピン棒３３により連接され、上記各支棒２４は、上記ピン棒３３を軸として枢着される。上記各第一支持ブロック３５を設置することにより、上記第一支持棒２は、安定的に上記各机板と各机脚との間に結合され、上記畳み机１の全体としての強度が向上される。また、上記第一枢着ジョイント２２と上記第二枢着ジョイント２３との上部において、それぞれ、階段状突出２２２、２３２が伸び、また、上記第一枢着ジョイント２２と上記第二枢着ジョイント２３とが展開される状態で、上記各突出２２２、２３２は、対応する一側が、互いに抵当し、これにより、上記第一支持棒２が展開される時、構造がより安定的になる。
【００１３】
図３を参照しながら、上記各定位装置４は、連接棒４１とバネ４２及びハンドル４３があり、上記連接棒４１の内端４１１は、上記第一枢着ジョイント２２に形成された貫通孔２２１に貫設されることにより、分離可能に上記第二枢着ジョイント２３に形成された凹槽２３１に挿入され、上記バネ４２は、上記連接棒４１の内端４１１に対して、上記凹槽２３１方向へバイアスを印加し、上記ハンドル４３は、上記連接棒４１の外端４１２に結合され、ユーザーが、上記連接棒４１を変位させるように操作でき、上記連接棒４１の内端４１１が、上記凹槽２３１から脱離する状態において、上記各支棒２４が枢着され、上記連接棒４１の内端４１１が、上記凹槽２３１に結合される状態において、上記各支棒２４が結合されて定位される。
【００１４】
上記各上直立棒１３１と各横棒１３２との間において、接続ヘッド３４により結合され、上記各接続ヘッド３４の下部に、それぞれ、下直立棒１３３が枢着され、また、上記各下直立棒１３３と上記隣り合う横棒１３２との間に、第二支持棒５が結合され、図９のように、上記各第二支持棒５に、それぞれ、第三枢着ジョイント５１と第四枢着ジョイント５２があり、上記第三枢着ジョイント５１と上記第四枢着ジョイント５２は、一側に、それぞれ、支棒２４が結合され、上記第三枢着ジョイントと上記第四枢着ジョイントは、ピン棒３３により連接され、これにより、上記各支棒２４は、上記ピン棒３３を軸として枢着され、そのため、上記各下直立棒１３３を展開することや折畳むことができ、また、上記第三枢着ジョイント５１と上記第四枢着ジョイント５２の展開角度θが、１８０度よりも大きく（図１０のように）、また、上記第三枢着ジョイント５１と上記第四枢着ジョイント５２に、それぞれ、凸部５０が形成され、上記両凸部５０同士が互いに抵当することにより、上記各下直立棒１３３と各横棒１３２との展開角度が制限される。
【００１５】
以下、上記携帯式折畳み机１の使用操作について、詳しく説明し、図１のように、それぞれ、上記第一机板１１と第二机板１２の下部に結合される上記第一机脚１３と第二机脚１４が展開され、品物を載せることができる机体が形成される。図４乃至図６のように、上記各下直立棒１３３が折畳まれる状態であり、これにより、本考案は、二段の高さを選択することができ、消費者が、必要に応じて、本考案の高さを調整できる。また、図７と図８を参照しながら、上記各上直立棒１３１は、上記第一支持棒２の定位装置４を解除することにより、上記第一机板１１と第二机板１２の下部に折畳まれ、また、その後、上記第一机板１１と第二机板１２とが、互いに重ね合うになり、それから、上記第一結合部材１１６と第二結合部材１２１とを結合すると、本考案は、筐体になり、そして、上記握り部１１５を利用して、消費者が便利に携帯できる。
【００１６】
そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の立体図
【図２】本考案の底面から斜めに観察する時の立体図
【図３】本考案の第一支持棒の分解図
【図４】本考案の下直立棒を折畳んでいる時の概念図
【図５】本考案の下直立棒を折畳んだ状態の概念図
【図６】本考案の下直立棒を折畳んだ状態の側面図
【図７】本考案の各机脚を折畳んでいる時の概念図
【図８】本考案の折畳んだ状態の立体図
【図９】本考案の第二支持棒の分解図
【図１０】本考案の第二支持棒の展開角度の概念図
【符号の説明】
【００１９】
１  畳み机
１１  第一机板
１１１  後端部
１１２  前端部
１１３  第一側辺
１１４  第二側辺
１１５  握り部
１１６  第一結合部材
１２  第二机板
１２１  第二結合部材
１３  第一机脚
１３１  上直立棒
１３２  横棒
１３３  下直立棒
１３４  強化棒
１４  第二机脚
２  第一支持棒
２２  第一枢着ジョイント
２２１  貫通孔
２２２  突出
２３  第二枢着ジョイント
２３１  凹槽
２３２  突出
２４  支棒
３１  第一枢着部材
３２  第二枢着部材
３３  ピン棒
３４  接続ヘッド
３５  第一支持ブロック
３６  第二支持ブロック
４  定位装置
４１  連接棒
４１１  内端
４１２  外端
４２  バネ
４３  ハンドル
５  第二支持棒
５０  凸部
５１  第三枢着ジョイント
５２  第四枢着ジョイント
【図１】
0003161362.tif 000003
【図２】
0003161362.tif 000004
【図３】
0003161362.tif 000005
【図４】
0003161362.tif 000006
【図５】
0003161362.tif 000007
【図６】
0003161362.tif 000008
【図７】
0003161362.tif 000009
【図８】
0003161362.tif 000010
【図９】
0003161362.tif 000011
【図１０】
0003161362.tif 000012